(57)【要約】【課題】  楽器全体の小型化を図ると共に、音響性能が良く、演奏者が演奏音を違和感なく良好に聞くことができる鍵盤楽器を提供する。【解決手段】  鍵盤部８が内部に設けられた楽器本体１の底板３に、楽器本体１の内部と外部とに開放された開口部３３を設け、この開口部３３に対応する楽器本体１の底板３の下面に、発音を楽器本体１内に向けて放音するスピーカ３２を設けた。従って、スピーカ３２が演奏音を発生すると、その演奏音が底板３の開口部３３から楽器本体１の内部に放音され、この放音された演奏音を楽器本体１内の鍵盤部８側から楽器本体１の前側外部に向けて放音させることができる。このため、スピーカ３２を楽器本体１の外部に設けているので、楽器本体１をコンパクトに形成することができ、これにより楽器全体の小型化を図ることができると共に、楽器本体１内の鍵盤部８側から楽器本体１の前側外部に放音された演奏音を演奏者が違和感なく良好に聞くことができる。【選択図】        図３
2010266790.tif 000002
【特許請求の範囲】
【請求項１】
複数の鍵が音階順に配列されてそれぞれ上下方向に回動可能に設けられた鍵盤部と、
この鍵盤部が内部に設けられた楽器本体と、
この楽器本体に設けられて前記楽器本体の内部と外部とに開放された開口部と、
この開口部に対応する前記楽器本体の外面に取り付けられて発生した音を前記楽器本体の内部に向けて放音するスピーカと
を備えていることを特徴とする鍵盤楽器。
【請求項２】
前記楽器本体における前記開口部に対応する箇所には、その箇所の強度を補強する補強機能を兼ね備えた防塵ネット部材が前記開口部を覆って設けられていることを特徴とする請求項１に記載の鍵盤楽器。
【発明の詳細な説明】
【技術分野】
【０００１】
この発明は、電子ピアノや電子オルガンなどの鍵盤楽器に関する。
【背景技術】
【０００２】
従来、鍵盤楽器においては、特許文献１に記載されているように、楽器全体の小型化を図るために、鍵盤部が内部に設けられた楽器本体の下側にスピーカボックスを設け、このスピーカボックス内にスピーカを垂直方向に対して斜め前下がり傾けて配置した構成のものが知られている。
【先行技術文献】
【特許文献】
【０００３】
【特許文献１】特開２０００−８１８８５号公報
【発明の概要】
【発明が解決しようとする課題】
【０００４】
しかしながら、このような従来の鍵盤楽器では、楽器本体の下側にスピーカボックスを設け、このスピーカボックス内にスピーカを配置しているので、楽器全体の小型化を図ることができても、スピーカで発音された演奏音が楽器本体の下側から斜め前側に向けて放音されるため、演奏音が楽器本体の下側から回り込んで、演奏者に足元から聞こえることになり、このため十分な音響性能が得られず、鍵盤楽器の演奏音として違和感があるという問題がある。
【０００５】
この発明が解決しようとする課題は、楽器全体の小型化を図ると共に、音響性能が良く、演奏者が演奏音を違和感なく良好に聞くことができる鍵盤楽器を提供することである。
【課題を解決するための手段】
【０００６】
この発明は、上記課題を解決するために、次のような構成要素を備えている。
請求項１に記載の発明は、複数の鍵が音階順に配列されてそれぞれ上下方向に回動可能に設けられた鍵盤部と、この鍵盤部が内部に設けられた楽器本体と、この楽器本体に設けられて前記楽器本体の内部と外部とに開放された開口部と、この開口部に対応する前記楽器本体の外面に取り付けられて発生した音を前記楽器本体の内部に向けて放音するスピーカとを備えていることを特徴とする鍵盤楽器である。
【０００７】
請求項２に記載の発明は、前記楽器本体における前記開口部に対応する箇所に、その箇所の強度を補強する補強機能を兼ね備えた防塵ネット部材が前記開口部を覆って設けられていることを特徴とする請求項１に記載の鍵盤楽器である。
【発明の効果】
【０００８】
この発明によれば、鍵盤部の押鍵操作に応じて楽器本体の外面に設けられたスピーカが演奏音を発生すると、その演奏音が楽器本体の開口部を通して楽器本体の内部に放音され、この放音された演奏音を楽器本体内の鍵盤部側から楽器本体の前側外部に放音させることができる。このため、楽器本体をコンパクトに形成することができるので、楽器全体の小型化を図ることができると共に、楽器本体内の鍵盤部側から楽器本体の前側外部に放音された演奏音を演奏者が聞くことができるので、音響性能が良く、演奏者が演奏音を違和感なく良好に聞くことができる。
【図面の簡単な説明】
【０００９】
【図１】この発明を適用した鍵盤楽器の一実施形態を示した正面図である。
【図２】図１の鍵盤楽器の平面図である。
【図３】図１のＡ−Ａ矢視における要部の拡大断面図である。
【図４】図３の鍵盤楽器において鍵盤蓋が鍵盤部を覆って閉じた状態を示した拡大断面図である。
【図５】図３の鍵盤楽器におけるスピーカボックスを示した拡大正面図である。
【図６】図１において楽器本体の底板からスピーカボックスを取り外した状態を示し、（ａ）はその状態において底板を下方から見た底面図、（ｂ）はそのＢ−Ｂ矢視における断面図である。
【図７】図６において楽器本体の底板からスピーカを取り外した状態を示し、（ａ）はその状態において底板を下方から見た底面図、（ｂ）はそのＣ−Ｃ矢視における断面図である。
【図８】図７において楽器本体の底板から防塵ネット部材を取り外した状態を示し、（ａ）はその状態において底板を上方から見た平面図、（ｂ）はそのＤ−Ｄ矢視における断面図である。
【発明を実施するための形態】
【００１０】
以下、図１〜図８を参照して、この発明を適用した鍵盤楽器の一実施形態について説明する。
この鍵盤楽器は、図１および図２に示すように、楽器本体１を備えている。この楽器本体１は、左右両側の一対の側板２と、この一対の側板２間における上部側に設けられた底板３と、この底板３の前端部に起立して設けられた前板４と、底板３の後端部に起立して設けられた背面板５と、この背面板５および一対の側板２の各上端部に配置された天板６と、一対の側板２間における下端部に設けられたフットペダル７とを備えている。
【００１１】
この場合、一対の側板２は、図１に示すように、楽器本体１のスタンドとしての脚部を兼ねるものであり、図３に示すように、その上端部における前側（図３では左側）の半分程度が前下がりに傾斜し、その後側の半分程度が水平に形成されている。前板４は、図３に示すように、背面板５の半分程度の高さに形成されている。また、天板６は、一対の側板２の上端部における後側の水平部分と背面板５の上端部とに亘って取り付けられている。これにより、楽器本体１は、図２および図３に示すように、前側(図３では左側)の半分程度が上方に開放された構成になっている。
【００１２】
この楽器本体１内における底板３上には、図１〜図４に示すように、鍵盤部８が上方に開放された前側の半分程度に位置する箇所に対応して配置されている。この鍵盤部８は、図３および図４に示すように、楽器本体１の底板３上に配置された鍵盤シャーシ１０を備えている。この鍵盤シャーシ１０上には、上下方向に回動可能に設けられた複数の鍵１１と、この複数の鍵１１の押鍵操作に応じて各鍵１１にそれぞれアクション荷重を付与する複数のハンマー部材１２と、複数の鍵１１の各押鍵操作に応じてそれぞれスイッチ信号を出力するスイッチ部１３と、複数の鍵１１の内側にそれぞれ光を照射する複数の発光部１４とが設けられている。
【００１３】
この場合、複数の鍵１１は、図１〜図４に示すように、白鍵および黒鍵からなり、光透過性を有する合成樹脂によって形成され、その各後端部が鍵盤シャーシ１０の後側上部（図３では右側上部）に設けられた鍵支持部１０ａにそれぞれ軸部１１ａによって上下方向に回動可能に設けられ、この状態で図２に示すように、音階順に複数配列された構成になっている。
【００１４】
複数のハンマー部材１２は、図３および図４に示すように、複数の鍵１１の下側にそれぞれ対応した状態で、鍵盤シャーシ１０に設けられたハンマー支持部１０ｂにそれぞれ軸部１２ａによって上下方向に回動可能に取り付けられている。これにより、複数のハンマー部材１２は、複数の鍵１１の押鍵操作に応じてそれぞれ押し下げられる際に、各ハンマー部材１２がその重量に抗して軸部１２ａを中心に図３において反時計回りに回動することにより、各鍵１１にそれぞれアクション荷重付与するように構成されている。
【００１５】
また、この複数のハンマー部材１２は、図３および図４に示すように、鍵１１が押鍵操作されない初期状態のときに、ハンマー部材１２の後端部が楽器本体１の底板３上に、金属製の取付板１５を介して配置されたフェルトなどの下限ストッパ部１６に上方から当接することにより、ハンマー部材１２の下限位置が規制されるように構成されている。この場合、取付板１５は、鍵盤シャーシ１０の後端下に取り付けられ、鍵盤シャーシ１０と共に楽器本体１内の底板３上に配置されるように構成されている。
【００１６】
スイッチ部１３は、図３および図４に示すように、スイッチ基板１７上に配置されたゴムシート１８を備え、このゴムシート１８にドーム状の膨出部を鍵１１のスイッチ押圧部１９にそれぞれ対応させて形成し、この膨出部がスイッチ押圧部１９によって押圧された際に、膨出部が弾性変形して、その内部の可動接点がスイッチ基板１７上の固定接点に接触することにより、各鍵１１の押鍵操作に応じてそれぞれスイッチ信号を出力するように構成されている。
【００１７】
複数の発光部１４は、それぞれ発光ダイオード（ＬＥＤ）などの発光素子からなり、図３および図４に示すように、鍵盤シャーシ１０上に複数の鍵１１である各白鍵および各黒鍵の各前部側にそれぞれ対応して設けられている。この場合、白鍵に対応する発光部１４は、鍵盤シャーシ１０の前側上部に設けられて、白鍵の前側内部に光を照射するように構成されている。
【００１８】
また、黒鍵に対応する発光部１４は、鍵盤シャーシ１０の中間部における上部に設けられて、黒鍵の前側内部に光を照射するように構成されている。これにより、複数の発光部１４は、発光した光をそれぞれ各鍵１１の前側内部に照射し、その照射された光が各鍵１１を透過することにより、各鍵１１の前部側をそれぞれ光らせるように構成されている。
【００１９】
ところで、この楽器本体１には、図３および図４に示すように、鍵盤部８の上側を覆う鍵盤蓋２０が開閉可能に設けられている。この鍵盤蓋２０は、鍵盤部８を操作しないときに、図４に示すように、鍵盤部８の上方に配置されて鍵盤部８を覆い、鍵盤部８を操作するときに、図３に示すように、楽器本体１内の後部側（図３では右側）に収納されて鍵盤部８を露出させるように構成されている。
【００２０】
すなわち、この鍵盤蓋２０は、前蓋２０ａと後蓋２０ｂとに分割され、この分割された前蓋２０ａと後蓋２０ｂとが連結部２１によって回動可能に連結された構成になっている。この場合、前蓋２０ａの前端部（図３では左端部）には、図３および図４に示すように、前側ガイド軸２２が設けられていると共に、鍵盤蓋２０を開閉するための取手部２３が設けられている。また、後蓋２０ｂの後端部（図３では右端部）には、後側ガイド軸２４が設けられており、この後側ガイド軸２４には、ピニオンギア２５が回転自在に取り付けられている。
【００２１】
また、楽器本体１における一対の側板２の内面における前側上部（図３では左側上部）には、図３および図４に示すように、鍵盤蓋２０の前蓋２０ａに設けられた前側ガイド軸２２をスライド可能にガイドする前側ガイド部２６が設けられている。この前側ガイド部２６は、一対の側板２の内面に前後方向（図３では左右方向）に沿って設けられた溝部である。
【００２２】
さらに、この楽器本体１における一対の側板２の内面における後部上側（図３では右上側）には、図３および図４に示すように、鍵盤蓋２０の後蓋２０ｂに設けられた後側ガイド軸２４をスライド可能にガイドする後側ガイド部２７が後部下がり（図３では右下がり）に円弧状に湾曲した状態で傾斜して設けられている。この後側ガイド部２７には、ピニオンギア２５が噛み合って転動するラックギア２８が後側ガイド部２７に沿って設けられている。
【００２３】
これにより、鍵盤蓋２０は、図４に示すように、取手部２３を楽器本体１の前側(図４では左側)に移動させて、前側ガイド軸２２を前側ガイド部２６の前端部に位置させると、後側ガイド軸２４が後側ガイド部２７の前側上部に位置すると共に、ピニオンギア２５がラックギア２８の前側上部に位置し、これにより前蓋２０ａと後蓋２０ｂとが前下がりに傾斜した状態で、鍵盤部８の上側を覆うように構成されている。
【００２４】
また、この鍵盤蓋２０は、図３および図４に示すように、取手部２３を持ち上げながら楽器本体１の後側(図４では右側)に移動させると、前側ガイド軸２２が前側ガイド部２６に沿って後方に移動すると共に、後側ガイド軸２４が後側ガイド部２７に沿って後方に移動しながらピニオンギア２５がラックギア２８に噛み合って後方に向けて転動し、このときにピニオンギア２５がラックギア２８に沿って斜め下側に移動すると共に、後側ガイド軸２４が後側ガイド部２７に沿って斜め下側に移動し、これにより後蓋２０ｂが前蓋２０ａに対して連結部２１を中心に徐々に折れ曲がりながら斜め後側下部（図４では右側下部）に向けて移動するように構成されている。
【００２５】
また、この鍵盤蓋２０は、図３に示すように、後側ガイド軸２４が後側ガイド部２７の後端下部（図３では右端下部）に位置し、ピニオンギア２５がラックギア２８の後端下部に位置すると、後蓋２０ｂが楽器本体１内における鍵盤部８の後方に起立して配置されると共に、前蓋２０ａの前側ガイド軸２２が前側ガイド部２６の後端部（図３では右端部）に位置し、この状態で前蓋２０ａの前部が前側ガイド軸２２によって保持され、前蓋２０ａの後部が後蓋２０ｂの前端部（図３では上端部）によって保持されることにより、前蓋２０ａが天板６の下側にこれとほぼ平行な状態で配置されて鍵盤部８を上方に露出させるように構成されている。
【００２６】
ところで、この楽器本体１における底板３の下部両側には、図１に示すように、スピーカ部３０がそれぞれ設けられている。このスピーカ部３０は、図３および図４に示すように、楽器本体１の底板３に設けられた開口部３３を覆うスピーカボックス３１と、このスピーカボックス３１によって覆われるスピーカ３２とを備えている。
【００２７】
スピーカボックス３１は、図３〜図５に示すように、その上面側が上方に開放された箱状に形成されている。この場合、スピーカボックス３１の前面（図３では左面）は、斜め上側に向けて傾斜しており、このスピーカボックス３１の外面には、上下方向に細長いスリット状の多数の放音孔３１ａが設けられている。そして、このスピーカボックス３１は、楽器本体１の底板３に設けられた開口部３３を覆った状態で、底板３の下面に取り付けられている。
【００２８】
スピーカ３２は、図３および図４に示すように、音を発生するバッフル面側（図３では上面側）を上に向けた状態で、図６（ａ）および図６（ｂ）に示すように、底板３の下面両側にそれぞれ防塵ネット部材３４を介して取り付けられ、発音した音のほとんどが底板３の開口部３３を通して楽器本体１の内部に放音されると共に、残りの音がスピーカボックス３１の各放音孔３１ａから底板３の下側に放音されるように構成されている。
【００２９】
この場合、底板３の開口部３３は、図３および図４に示すように、楽器本体１の内部と外部とに開放された貫通孔であり、図８（ａ）および図８（ｂ）に示すように、底板３の両側にそれぞれ設けられている。この開口部３３には、図３および図８に示すように、その上側にハンマー部材１２の下限ストッパ部１６を配置するためのリブ３３ａがそれぞれ鍵１１の配列方向に沿って設けられている。
【００３０】
防塵ネット部材３４は、金属板に多数の小孔をパンチングによって形成した防塵機能を有するパンチネットであり、強度の高い板状に形成され、図７（ａ）および図７（ｂ）に示すように、底板３の開口部３３を覆った状態で、底板３の下面両側にそれぞれ取り付けられている。これにより、防塵ネット部材３４は、ゴミなどの異物がスピーカ３２内に侵入するのを防ぐ防塵機能を備えているほか、開口部３３が設けられた箇所の底板３およびリブ３３ａの強度を補強する補強機能をも兼ね備えた構成になっている。
【００３１】
次に、この鍵盤楽器を使用する場合について説明する。
まず、図４に示すように、鍵盤部８の上側を覆っている鍵盤蓋２０を開いて、図３に示すように、鍵盤部８を露出させる。このときには、前蓋２０ａの前端部に設けられた取手部２３を持ち上げながら楽器本体１の後側(図４では右側)に移動させる。すると、前側ガイド軸２２が前側ガイド部２６に沿って後方に移動すると共に、後側ガイド軸２４が後側ガイド部２７に沿って後方に移動しながらピニオンギア２５がラックギア２８に噛み合って後方に向けて転動する。
【００３２】
そして、ピニオンギア２５がラックギア２８に沿って斜め下側に移動すると共に、後側ガイド軸２４が後側ガイド部２７に沿って斜め下側に移動すると、後蓋２０ｂが前蓋２０ａに対して連結部２１を中心に徐々に折れ曲がりながら斜め後側下部（図４では右側下部）に向けて移動する。こときには、前蓋２０ａの前端部（図４では左端部）が前側ガイド軸２２によって支持されながら前側ガイド部２６に沿って後方に移動すると共に、前蓋２０ａの後端部が後蓋２０ｂの前端部によって支持されながら後方に移動する。
【００３３】
そして、図３に示すように、後側ガイド軸２４が後側ガイド部２７の後端下部（図３では右端下側）に位置して保持されると共に、ピニオンギア２５がラックギア２８の後端下部に位置して保持されると、後蓋２０ｂが楽器本体１内における鍵盤部８の後方に起立する。このときには、後蓋２０ｂが楽器本体１の背面板５に接近した状態で、その背面板５とほぼ平行に起立して配置される。
【００３４】
また、前蓋２０ａは、図３に示すように、その前側ガイド軸２２が前側ガイド部２６の後端部に位置して、前蓋２０ａの前部が前側ガイド軸２２によって保持され、前蓋２０ａの後部が後蓋２０ｂの前端部(図３では上端部)によって保持された状態で、前蓋２０ａが天板６の下側に接近してほぼ平行に配置される。これにより、鍵盤蓋２０がほぼ直角に折り曲げられた状態で楽器本体１内の後部側に収納されて、鍵盤部８を楽器本体１の前側上部に露出させる。
【００３５】
この状態で、鍵盤部８を押鍵操作して演奏を行うと、その押鍵操作に応じてスピーカ３２が演奏音を放音する。このときには、スピーカ３２で発音された演奏音のほとんどが、楽器本体１の底板３に設けられた開口部３３から楽器本体１の内部に放音され、この放音された演奏音が鍵盤部８側から楽器本体１の前側外部に向けて放音される。
【００３６】
この場合、楽器本体１内に放音された演奏音は、そのほとんどが鍵盤部８の鍵盤シャーシ１０内を通り抜けて、鍵盤部８における複数の鍵１１の各隙間を通り抜け、鍵盤部８の斜め前側上方に向けて放音される。また、楽器本体１内に放音された残りの演奏音は、楽器本体１内の後部側に収納されてほぼ直角に折り曲げられた鍵盤蓋２０によって反射されて鍵盤部８の上方から楽器本体１の前側に向けて放音されると共に、鍵盤蓋２０と楽器本体１の背面板５および天板６との間の隙間６をも通り抜けて鍵盤部８の上方から楽器本体１の前側に向けて放音される。
【００３７】
一方、スピーカ３２で発音されて楽器本体１内に放音されない残りの演奏音は、スピーカボックス３１の各放音孔３１ａから楽器本体１の底板３の下側に向けて放音されることにより、演奏者にその足元から回り込んで聞こえることになる。これにより、スピーカ３２で発音された演奏音は、楽器本体１の鍵盤部８側から楽器本体１の前側に放音された演奏音と、楽器本体１の底板３の下側に放音された演奏音との両方によって、楽器全体から放音されているように、演奏者に聞こえる。
【００３８】
このように、この鍵盤楽器によれば、複数の鍵１１が音階順に配列されてそれぞれ上下方向に回動可能に設けられた鍵盤部８と、この鍵盤部８が内部に設けられた楽器本体１と、この楽器本体１の底板３に設けられて楽器本体１の内部と外部とに開放された開口部３３と、この開口部３３に対応する楽器本体１の底板３の下面に取り付けられて発生した音を楽器本体１内に向けて放音するスピーカ３２とを備えた構成であることにより、楽器全体の小型化を図ることができると共に、音響性能が良く、演奏者が演奏音を違和感なく良好に聞くことができる。
【００３９】
すなわち、この鍵盤楽器では、鍵盤部８の押鍵操作に応じてスピーカ３２が演奏音を発生すると、その演奏音のほとんどを楽器本体１の底板３に設けられた開口部３３から楽器本体１の内部に放音することができ、この放音された演奏音を楽器本体１内の鍵盤部８側から楽器本体１の前側外部に向けて放音させることができる。
【００４０】
このため、スピーカ３２を楽器本体１の底板３の外面である下面に設けているので、楽器本体１をコンパクトに形成することができ、これにより楽器全体の小型化を図ることができると共に、スピーカ３２から放音された演奏音を楽器本体１内の鍵盤部８側から楽器本体１の前側外部に向けて放音させることができるので、音響性能が良く、演奏者が演奏音を違和感なく良好に聞くことができる。
【００４１】
この場合、楽器本体１内に放音された演奏音は、そのほとんどが鍵盤部８の鍵盤シャーシ１０内を通り抜けて、鍵盤部８における複数の鍵１１の各隙間を通り抜けることにより、その通り抜けた演奏音を鍵盤部８の斜め前側上方に向けて良好に放音することができる。また、楽器本体１内に放音された残りの演奏音は、楽器本体１内の後部側に収納されてほぼ直角に折り曲げられた鍵盤蓋２０によって反射されることにより、その反射された演奏音を鍵盤部８の上方から楽器本体１の前側に向けて良好に放音することができると共に、鍵盤蓋２０と楽器本体１の背面板５および天板６との間の隙間６をも通り抜けることにより、その通り抜けた演奏音を鍵盤部８の上方から楽器本体１の前側に向けて放音することができる。
【００４２】
また、スピーカ３２で発音されて楽器本体１内に放音されない残りの演奏音は、スピーカボックス３１の各放音孔３１ａから楽器本体１の底板３の下側に向けて放音されることにより、演奏者にその足元から回り込んで聞こえるように、演奏音を放音することができる。これにより、スピーカ３２で発音された演奏音は、楽器本体１の鍵盤部８側から楽器本体１の前側に放音された演奏音と、楽器本体１の底板３の下側に放音された演奏音との両方によって、楽器全体から放音されることになるので、音響性能が良く、演奏者が演奏音を違和感なく良好に聞くことができる。
【００４３】
また、この鍵盤楽器によれば、楽器本体１の底板３における開口部３３に対応する箇所に、その箇所の強度を補強する補強機能を兼ね備えた防塵ネット部材３４が開口部３３を覆って設けられているので、この防塵ネット部材３４によってゴミなどの異物がスピーカ３２内に侵入するのを防ぐことができるほか、底板３に開口部３３を設けても、防塵ネット部材３４によって開口部３３が位置する箇所における底板３３の強度を補強することができる。
【００４４】
すなわち、防塵ネット部材３４は、金属板に多数の小孔をパンチングによって形成した防塵機能を有するパンチネットであり、強度の高い板状に形成されているので、底板３の開口部３３を覆った状態で底板３の下面に取り付けられることにより、ゴミなどの異物がスピーカ３２内に侵入するのを防ぐことができるほか、開口部３３に対応する箇所の底板３の強度をも補強することができる。
【００４５】
この場合、鍵盤部８は、複数の鍵１１の押鍵操作に応じてそれぞれ各鍵１１にアクション荷重付与する複数のハンマー部材１２を備え、このハンマー部材１２の下限位置を規制するための下限ストッパ部１６が開口部３３に位置する底板３上に配置される構成であり、この下限ストッパ部１６を配置するためのリブ３３ａを開口部３３に設けても、この開口部３３に設けられたリブ３３ａの強度をも防塵ネット部材３４によって補強することができる。
【００４６】
このため、鍵１１の押鍵操作に応じてハンマー部材１２が回動して初期位置に戻る際に、ハンマー部材１２が下限ストッパ部１６に強く当接しても、その衝撃を下限ストッパ部１６によって確実に受け止めることができるので、下限ストッパ部１６を配置するためのリブ３３ａがハンマー部材１２の衝撃によって振動するビビリ音などの異音の発生を防ぐことができ、これによっても音響性能を高めることができ、より一層、スピーカ３２からの演奏音を良好に聞くことができる。
【００４７】
なお、前述した実施形態では、スピーカ３２を楽器本体１の底板３の外面である下面に設けた場合について述べたが、これに限らず、例えば楽器本体の背面板５の外面に設けても良く、また両側に位置する一対の側板２の各外面にそれぞれ設けても良い。この場合にも、開口部３３は、鍵盤部８の後方に位置する箇所の背面板５の両側部、または鍵盤部８の両側に位置する箇所の一対の側板２にそれぞれ設ければ良い。
【００４８】
また、前述した実施形態では、鍵盤蓋２０を前蓋２０ａと後蓋２０ｂとに分割して連結部２１によって折曲可能に連結した場合について述べたが、これに限らず、例えば鍵盤蓋を１枚の板で構成し、この鍵盤蓋の後端部を軸によって一対の側板に回動可能に取り付け、この軸を中心に鍵盤蓋を回転させて天板８の前側に起立させることにより、鍵盤部８を開閉自在に開放するように構成したものでも良い。
【００４９】
さらに、前述した実施形態では、鍵盤部８が複数の鍵１１の押鍵操作に応じてそれぞれ各鍵１１にアクション荷重付与する複数のハンマー部材１２を備えた構成である場合について述べたが、必ずしもハンマー部材１２を備えた構成である必要はなく、ハンマー部材１２を用いない簡易型の鍵盤楽器にも適用することができる。この場合には、ハンマー部材１２の下限位置を規制する下限ストッパ部１６が不要であるから、楽器本体１の底板３に設けられる開口部３３が下限ストッパ部１６の制約を受けないため、開口部３３を自由な形状および大きさで底板３に設けることができる。
【符号の説明】
【００５０】
１  楽器本体
２  側板
３  底板
４  前板
５  背面板
６  天板
８  鍵盤部
１０  鍵盤シャーシ
１１  鍵
１２  ハンマー部材
１６  下限ストッパ部
２０  鍵盤蓋
３０  スピーカ部
３１  スピーカボックス
３２  スピーカ
３３  開口部
３３ａ  リブ
３４  防塵ネット部材
【図１】
2010266790.tif 000003
【図２】
2010266790.tif 000004
【図３】
2010266790.tif 000005
【図４】
2010266790.tif 000006
【図５】
2010266790.tif 000007
【図６】
2010266790.tif 000008
【図７】
2010266790.tif 000009
【図８】
2010266790.tif 000010